(57)【要約】      （修正有）【課題】媒体に液体を吐出することにより形成された液体吐出物を確認する際におけるユーザーの負荷を抑制する。【解決手段】搬送方向Ａに搬送される媒体Ｐに、液体を吐出可能な吐出部６と、吐出部６から前記液体が吐出された媒体Ｐを巻き取る巻取部４と、巻取部４に巻き取られた媒体Ｐを巻き直し可能な回転体２と、を備えることを特徴とする液体吐出装置１。このような構成により、媒体Ｐに液体を吐出することにより形成された液体吐出物を確認する際におけるユーザーの負荷を抑制することが可能になる。【選択図】図１
2016034733.tif 000002
【特許請求の範囲】
【請求項１】
搬送方向に搬送される媒体に、液体を吐出可能な吐出部と、
前記吐出部から前記液体が吐出された前記媒体を巻き取る巻取部と、
前記巻取部に巻き取られた前記媒体を巻き直し可能な回転体と、
を備えることを特徴とする液体吐出装置。
【請求項２】
請求項１に記載の液体吐出装置において、
前記媒体がロール状媒体であり、前記吐出部における前記液体の吐出領域に前記媒体を送出可能な前記ロール状媒体のセット部を備え、
前記セット部は、前記回転体を兼ねることを特徴とする液体吐出装置。
【請求項３】
請求項２に記載の液体吐出装置において、
前記セット部は、第１の回転方向及び該第１の回転方向とは反対側の回転方向である第２の回転方向に回転可能であることを特徴とする液体吐出装置。
【請求項４】
請求項２又は３に記載の液体吐出装置において、
前記セット部は、前記媒体の送出位置と前記媒体の巻き直し位置とを移動可能であることを特徴とする液体吐出装置。
【請求項５】
請求項１に記載の液体吐出装置において、
前記媒体がロール状媒体であり、前記吐出部における前記液体の吐出領域に前記媒体を送出可能な前記ロール状媒体のセット部を備え、
前記セット部は、前記回転体とは別に設けられることを特徴とする液体吐出装置。
【請求項６】
請求項１から５のいずれか１項に記載の液体吐出装置において、
前記巻取部及び前記回転体は、前記吐出部よりも前記液体吐出装置の設置部側に設けられることを特徴とする液体吐出装置。
【請求項７】
搬送方向に搬送される媒体に、吐出部から液体を吐出する吐出工程と、
前記吐出部から前記液体が吐出された前記媒体を巻取部で巻き取る巻取工程と、
前記巻取部で巻き取られた前記媒体を、前記吐出部及び前記巻取部を備える液体吐出装置に設けられた回転体により巻き直す巻き直し工程と、
を有することを特徴とする液体吐出方法。
【発明の詳細な説明】
【技術分野】
【０００１】
本発明は、液体吐出装置及び液体吐出方法に関する。
【背景技術】
【０００２】
従来から、インクなどの液体を媒体に吐出する液体吐出装置が使用されている。このうち、ロール状の媒体に液体を吐出する液体吐出装置がある。  
例えば、特許文献１には、ロール状の媒体を記録位置に送出可能な繰り出し手段と、記録がなされた媒体をロール状に巻き取る巻き取り手段と、を備える液体吐出装置としての記録装置が開示されている。
【先行技術文献】
【特許文献】
【０００３】
【特許文献１】特開２０１２−１６６９１５号公報
【発明の概要】
【発明が解決しようとする課題】
【０００４】
ここで、記録がなされた媒体をロール状に巻き取る巻き取り手段を備える液体吐出装置において、記録物（液体吐出物）を確認することは、一般的に行われている。  
しかしながら、特許文献１の装置のような、記録がなされた媒体をロール状に巻き取る巻き取り手段を備える液体吐出装置などでは、記録物を確認するために、ユーザーは、巻き取り手段で巻き取った媒体を一度巻き取り手段などから取り外し、装置の外で確認する必要があった。特に、媒体として大きく重いものを使用する場合や長いものを使用する場合、ユーザーにとってこのような作業が大きな負荷になっていた。
【０００５】
そこで、本発明の目的は、媒体に液体を吐出することにより形成された液体吐出物を確認する際におけるユーザーの負荷を抑制することである。
【課題を解決するための手段】
【０００６】
上記課題を解決するための本発明の第１の態様の液体吐出装置は、搬送方向に搬送される媒体に、液体を吐出可能な吐出部と、前記吐出部から前記液体が吐出された前記媒体を巻き取る巻取部と、前記巻取部に巻き取られた前記媒体を巻き直し可能な回転体と、を備えることを特徴とする。
【０００７】
本発明の第２の態様の液体吐出装置は、前記第１の態様において、前記媒体がロール状媒体であり、前記吐出部における前記液体の吐出領域に前記媒体を送出可能な前記ロール状媒体のセット部を備え、前記セット部は、前記回転体を兼ねることを特徴とする。
【０００８】
本発明の第３の態様の液体吐出装置は、前記第２の態様において、前記セット部は、第１の回転方向及び該第１の回転方向とは反対側の回転方向である第２の回転方向に回転可能であることを特徴とする。
【０００９】
本発明の第４の態様の液体吐出装置は、前記第２又は第３の態様において、前記セット部は、前記媒体の送出位置と前記媒体の巻き直し位置とを移動可能であることを特徴とする。
【００１０】
本発明の第５の態様の液体吐出装置は、前記第４の態様において、前記媒体がロール状媒体であり、前記吐出部における前記液体の吐出領域に前記媒体を送出可能な前記ロール用媒体のセット部を備え、前記セット部は、前記回転体とは別に設けられることを特徴とする。
【００１１】
本発明の第６の態様の液体吐出装置は、前記第１から第５のいずれか１つの態様において、前記巻取部及び前記回転体は、前記吐出部よりも前記液体吐出装置の設置部側に設けられることを特徴とする。
【００１２】
本発明の第７の態様の液体吐出方法は、搬送方向に搬送される媒体に、吐出部から液体を吐出する吐出工程と、前記吐出部から前記液体が吐出された前記媒体を巻取部で巻き取る巻取工程と、前記巻取部で巻き取られた前記媒体を、前記吐出部及び前記巻取部を備える液体吐出装置に設けられた回転体により巻き直す巻き直し工程と、を有することを特徴とする。
【発明の効果】
【００１３】
本発明によれば、媒体に液体を吐出することにより形成された液体吐出物を確認する際におけるユーザーの負荷を抑制することができる。
【図面の簡単な説明】
【００１４】
【図１】本発明の実施例１に係る記録装置を表す概略側面図。
【図２】本発明の実施例１に係る記録装置を表す概略側面図。
【図３】本発明の実施例１に係る記録装置を表す概略正面図。
【図４】本発明の実施例１に係る記録装置のブロック図。
【図５】本発明の実施例２に係る記録装置を表す概略側面図。
【図６】本発明の実施例２に係る記録装置を表す概略側面図。
【図７】本発明の一実施例に係る液体吐出方法のフローチャート。
【発明を実施するための形態】
【００１５】
以下に、本発明の液体吐出装置としての一実施例に係る記録装置について、添付図面を参照して詳細に説明する。
【００１６】
［実施例１］（図１〜図４）
図１及び図２は本実施例の記録装置１を表す概略側面図である。このうち、図１は、セット部２から巻取部４まで被記録媒体Ｐ（媒体）を搬送する場合の状態を表す図である。一方、図２は、巻取部４から被記録媒体Ｐを巻き直すことが可能な回転体としてのセット部２に被記録媒体Ｐを巻き直しする場合の状態を表す図である。  
また、図３は、本実施例の記録装置１を表す概略正面図である。なお、図３は被記録媒体Ｐがセット部２にセットされただけの状態を表している。
【００１７】
図１で表されるように、本実施例の記録装置１は、被記録媒体Ｐをインクの吐出領域Ｒに送出可能な被記録媒体Ｐのセット部２から、被記録媒体Ｐの支持部であるプラテン３を介して、被記録媒体Ｐを巻き取って回収可能な巻取部４まで、被記録媒体Ｐを搬送方向Ａに搬送することが可能である。すなわち、図１で表される状態の場合、セット部２から巻取部４までが記録装置１における被記録媒体Ｐの搬送経路であり、プラテン３は該搬送経路に設けられた被記録媒体Ｐの支持部である。なお、図１の状態から記録を実行する場合、セット部２では第１の回転方向である回転方向Ｃ１に被記録媒体Ｐが回転しながら該被記録媒体Ｐが送出され、巻取部４は回転方向Ｃ１に回転して被記録媒体Ｐを巻き取る。
【００１８】
なお、本実施例の記録装置１は、ロール状の被記録媒体Ｐに記録を行うことが可能な構成であるが、このような構成に限定されない。例えば、被記録媒体Ｐをロール状に巻き取って回収することが可能な構成であれば、単票状の被記録媒体Ｐに記録を行うことが可能な構成であってもよい。単票状の被記録媒体Ｐに記録を行うことが可能な構成である場合、被記録媒体Ｐのセット部２として、例えば、所謂、給紙（給送）トレイ及び給紙（給送）カセットなどと呼ばれるものを使用してもよい。
【００１９】
ここで、図１は、被記録媒体Ｐのロールの外側の面である第１の面１６に記録を行うことが可能な被記録媒体Ｐのセット状態を表している。この場合の被記録媒体Ｐのセット状態においては、セット部２は回転方向Ｃ１に回転する。一方、被記録媒体Ｐのロールの内側の面である第２の面１７に記録を行うことも可能であり、その場合、被記録媒体Ｐを図１の状態とは左右入れ替えてセット部２にセットした上で、セット部２は回転方向Ｃ１とは逆の第２の回転方向である回転方向Ｃ２に回転する。  
そして、同様に、図１では、本実施例の巻取部４は被記録媒体Ｐの第１の面１６が外側になるように巻き取る状態であるので、巻取部４は回転方向Ｃ１に回転する。一方、第１の面１６が内側になるように巻き取ることも可能である。その場合は、巻取部４は回転方向Ｃ２に回転する。  
なお、本実施例では、被記録媒体Ｐのロールの外側の面を第１の面とし、被記録媒体Ｐのロールの内側の面を第２の面としたが、この対応関係は逆であってもよい。また、第１の回転方向を回転方向Ｃ１とし、第２の回転方向を回転方向Ｃ２としたが、この対応関係は逆であってもよい。
【００２０】
また、本実施例の記録装置１は、被記録媒体Ｐの搬送経路に、搬送方向Ａと交差する交差方向Ｂの回転軸を有するローラー対で構成される不図示の搬送部が設けられている。このような構成により、本実施例の記録装置１は、被記録媒体Ｐの搬送経路において、搬送部が被記録媒体Ｐを搬送することによって、セット部２にセットされたロール状の被記録媒体Ｐが引き出され、搬送部により搬送された該被記録媒体を巻取部４で巻き取る。  
ここでセット部２は回転可能な構成であればよく、自発的な回転は必須ではないが、必要に応じて引き出される被記録媒体Ｐに張力を加えられるように回転抵抗を付加できる構成としてもよいし、あるいは回転方向に自発的な回転を一定速度で行うような制御をしてもよい。
【００２１】
また、本実施例の記録装置１は、被記録媒体Ｐの搬送経路におけるプラテン３と対向する側に吐出部としての記録ヘッド６が備えられている。記録装置１は、キャリッジ５を介して交差方向Ｂに記録ヘッド６を往復移動させながら、記録ヘッド６のノズル形成面から被記録媒体Ｐにインクを吐出させて、吐出領域Ｒにおいて、所望の画像を形成する。このような構成により、吐出部としての記録ヘッド６は、被記録媒体Ｐに液体としてのインクを吐出することができる。
【００２２】
なお、本実施例の記録装置１は、往復移動しながら記録する記録ヘッド６を備えているが、インクを吐出するノズルを搬送方向Ａと交差する交差方向Ｂに複数設けた所謂ラインヘッドを備える記録装置でもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド又は被記録媒体Ｐを相対的に移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。
【００２３】
ここで、図２は、図１の状態で第１の面１６への記録により形成された画像を確認するための、該被記録媒体Ｐの巻き直し状態を表している。上記のように、本実施例の記録装置１は、搬送方向Ａに搬送される被記録媒体Ｐにインクを吐出可能な記録ヘッド６と、記録ヘッド６における吐出領域Ｒから搬送方向Ａの下流側に送られた被記録媒体Ｐを巻き取る巻取部４と、を備えている。また、被記録媒体Ｐを吐出領域Ｒに送出可能なセット部２を備えており、該セット部２は、巻取部４に巻き取られた被記録媒体Ｐを巻き直し可能な、交差方向Ｂに回転軸を有する回転体である。  
このような構成により、本実施例の記録装置１は、該記録装置１を用いて、液体吐出物である記録物（被記録媒体Ｐに形成された画像）の確認をすることができる。すなわち、該記録装置１から被記録媒体Ｐを取り外して別の場所において液体吐出物を確認する必要が無いので、液体吐出物を確認する際におけるユーザーの負荷を抑制することができる構成になっている。
【００２４】
また、詳細には、セット部２は脚部７に対して方向Ｄ（方向Ｄ１及びＤ２）に移動可能であり、図２の状態は、セット部２を図１の状態から方向Ｄ１に移動させて被記録媒体Ｐを巻取部４にセットして、セット部２に被記録媒体Ｐを巻き直すことを可能にした状態である。図２で表される状態の場合の被記録媒体Ｐのセット状態においては、第１の面１６に記録されて形成された画像を確認することが可能なように、巻取部４は回転方向Ｃ２に回転して被記録媒体Ｐを送出する。そして、併せて、セット部２が回転方向Ｃ２に回転する。このように、セット部２を被記録媒体Ｐの送出位置２８から被記録媒体Ｐの巻き直し位置２９に移動させ、巻取部４及びセット部２を共に回転方向Ｃ２に回転することで、被記録媒体Ｐを適正な位置から送出できるうえ、ユーザーは、記録装置１の正面側から、容易に、巻取部４で巻き取られた状態において外側の面（第１の面１６）に形成された画像を確認することができる。一方、巻取部４で巻き取られた状態において内側の面に形成された画像を確認する場合などは、巻取部４及びセット部２を共に回転方向Ｃ１に回転すればよい。このような構成により、被記録媒体Ｐを反転させることなく、インクが吐出された側が外側になるように巻き取ること又は内側になるように巻き取ることを自由に選択しつつ、液体吐出物を確認することができ、ユーザーの負荷を抑制している。  
また、この巻き直しを行う場合にはセット部２および巻取部４は必ずしも自発的に回転可能な構成である必要はないが、自発的に回転できる構成とし、その回転速度を適宜設定可能とすれば、ユーザーによる確認作業や巻き直し作業の負担をさらに低減することもできる。
【００２５】
また、上記のように、本実施例のセット部２は、被記録媒体Ｐとしてロール状の被記録媒体Ｐを使用した場合に、被記録媒体Ｐを回転させることにより搬送方向Ａの上流側から吐出領域Ｒに被記録媒体Ｐを送出可能である。そのうえ、本実施例のセット部２は、被記録媒体Ｐを巻き直し可能な回転体としての役割を兼ねている。このため、セット部２とは別に被記録媒体Ｐを巻き直し可能な回転体を設けることを省略し、低コスト化している。
【００２６】
また、セット部２及び巻取部４は、記録ヘッド６との位置関係から、記録ヘッド６よりも記録装置１の設置部２７側である下側に設けられている。本実施例の記録装置１のように、一般的な構成の記録装置では、設置部２７が下側になる。すなわち、セット部２及び巻取部４を記録ヘッド６よりも下側に設けることにより、被記録媒体Ｐを持ち上げる長さを短くし、セット部２及び巻取部４への被記録媒体Ｐの取り付け及びこれらからの被記録媒体Ｐの取り外しを容易にしている。  
なお、「設置部」とは、記録装置１が設置される際に、設置される場所の床と接触する部材を意味する。
【００２７】
このように、本実施例の記録装置１は、被記録媒体Ｐに形成された画像を確認するために、被記録媒体Ｐをセット部２に巻き直すことができる。また、被記録媒体Ｐが巻き直されたセット部２を、巻き直し位置２９から送出位置２８まで方向Ｄ２に移動させて、セット部２に巻き直した被記録媒体Ｐの第２の面１７に記録するために、セット部２を回転方向Ｃ２に回転させて、さらに記録を行うことができる。  
このように、本実施例の記録装置１は、容易に被記録媒体Ｐの両面に記録することが可能である。
【００２８】
次に、本実施例の記録装置１における電気的な構成について説明する。  
図４は、本実施例の記録装置１のブロック図である。  
制御部１０には、記録装置１の全体の制御を司るＣＰＵ１１が設けられている。ＣＰＵ１１は、システムバス１２を介して、ＣＰＵ１１が実行する各種制御プログラム等を格納したＲＯＭ１３と、データを一時的に格納可能なＲＡＭ１４と、接続されている。
【００２９】
また、ＣＰＵ１１は、システムバス１２を介して、記録ヘッド６を駆動するためのヘッド駆動部１５と接続されている。  
また、ＣＰＵ１１は、システムバス１２を介して、キャリッジ５を移動させるためのキャリッジモーター１９、セット部２の駆動源である送出モーター２０、搬送部を構成するローラー対における駆動ローラーの駆動源である搬送モーター２１、巻取部４の駆動源である巻取モーター２２、を駆動させるためのモーター駆動部１８と接続されている。  
さらに、ＣＰＵ１１は、システムバス１２を介して、入出力部２３と接続されており、入出力部２３は、記録データ等を記録装置１に入力する外部装置であるＰＣ２４、と接続されている。
【００３０】
［実施例２］（図５、図６）
次に、実施例２の記録装置について、添付図面を参照して詳細に説明する。  
図５及び図６は本実施例の記録装置１を表す概略側面図である。このうち、図５は、セット部２から巻取部４まで被記録媒体Ｐを搬送する場合の状態を表す図である。一方、図６は、巻取部４から被記録媒体Ｐを巻き直すことが可能な回転体９に被記録媒体Ｐを巻き直しする場合の状態を表す図である。なお、上記実施例１と共通する構成部材は同じ符号で示しており、詳細な説明は省略する。  
なお、本実施例の記録装置１は、セット部２及び巻取部４の配置が異なることと、セット部２とは別に回転体９が設けられていること以外は、実施例１の記録装置１と同様の構成である。
【００３１】
実施例１の記録装置１は、セット部２が脚部７に対して方向Ｄに移動可能に構成されており、被記録媒体Ｐを巻き直し可能な回転体としての役割を兼ねていた。一方、本実施例の記録装置１は、セット部２とは別に、被記録媒体Ｐを巻き直し可能な回転体９を備えている。このため、セット部２を方向Ｄに移動させる移動機構等を設ける必要が無く、該セット部２及び該回転体９を簡単な機構にしている。
【００３２】
このように、本実施例の記録装置１は、セット部２及び回転体９を簡単な機構にしているため、セット部２及び回転体９は脚部７に対して移動しないが、脚部７に対して移動可能な構成としてもよい。セット部２及び回転体９は脚部７に対して移動可能とすることにより、回転体９を用いて被記録媒体Ｐを送出するなど、記録装置１を用いて様々なことができるためである。
【００３３】
［液体吐出方法の実施例］（図７）
次に、実施例１の記録装置１を用いた液体吐出方法（記録方法）の実施例について説明する。  
図７は、本実施例の液体吐出方法のフローチャートである。
【００３４】
ユーザーが記録装置１に被記録媒体Ｐを図１で表される状態にセットし、ＰＣ２４から被記録媒体Ｐの第１の面１６に記録するための記録データを制御部１０が入力すると、実施例１の記録装置１において、最初に、ステップＳ１１０の被記録媒体Ｐの送出工程で、セット部２から被記録媒体Ｐが送出される。詳細には、搬送部が被記録媒体Ｐを搬送方向Ａの上流側からインクの吐出領域Ｒに送出することにより、被記録媒体Ｐにおけるインクを着弾させる所望の箇所を該吐出領域Ｒに送出する。
【００３５】
次に、ステップＳ１２０の第１の面１６への記録工程（吐出工程）で、吐出領域Ｒに送出された被記録媒体Ｐの第１の面１６の所望の箇所に、記録ヘッド６からインクを吐出する。
【００３６】
次に、ステップＳ１３０の被記録媒体Ｐの巻き取り工程で、第１の面１６にインクが吐出された被記録媒体Ｐを、吐出領域Ｒよりも搬送方向Ａの下流側から巻取部４により巻き取って回収する。
【００３７】
次に、ステップＳ１４０の第１の記録終了判断工程において、第１の面１６に記録するための記録データに基づく記録が終了したかどうかの判断をする。そして、該記録データに基づく記録が終了したと判断されるまでステップＳ１１０からステップＳ１４０を繰り返し、該記録データに基づく記録が終了したと判断されたらステップＳ１５０に進む。  
ここでステップＳ１３０はステップＳ１１０、ステップＳ１２０、ステップＳ１４０と時間的に重なって実行してもよく、図７のようにステップ１２０の完了後に開始され、ステップＳ１４０開始前に完了する必要はない。
【００３８】
第１の面１６に記録するための記録データに基づく記録が終了すると、ユーザーは、ステップＳ１５０の被記録媒体の確認工程（巻き直し工程）で、セット部２を移動させる。詳細には、ユーザーは、セット部２を方向Ｄ１に直線移動させることにより搬送方向Ａの上流側の送出位置２８から下流側の巻き直し位置２９に移動させ、図２で表される状態のように巻取部４からセット部２に被記録媒体Ｐをセットする。そして、巻取部４及びセット部２を回転方向Ｃ２に回転させて、ユーザーは目視で被記録媒体Ｐに形成された画像を確認（液体吐出物を確認）する。  
そして、液体吐出物の確認の終了に伴って、本実施例の液体吐出方法を終了する。
【００３９】
本実施例の液体吐出方法では、記録ヘッド６、巻取部４及び回転体２を備える記録装置１において、被記録媒体Ｐを該回転体２により巻き直す。このため、該記録装置１において液体吐出物の確認をすることができ、液体吐出物を確認する際におけるユーザーの負荷を抑制することを可能にしている。
【００４０】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４１】
本発明の第１の態様の液体吐出装置１は、搬送方向Ａに搬送される媒体Ｐに、液体を吐出可能な吐出部６と、吐出部６から前記液体が吐出された媒体Ｐを巻き取る巻取部４と、巻取部４に巻き取られた媒体Ｐを巻き直し可能な回転体２（９）と、を備えることを特徴とする。
【００４２】
本態様によれば、巻取部４に巻き取られた媒体Ｐを巻き直し可能な回転体２（９）を備える。このため、該液体吐出装置１において液体吐出物の確認をすることができる。すなわち、液体吐出物を確認する際におけるユーザーの負荷を抑制することができる。
【００４３】
本発明の第２の態様の液体吐出装置１は、前記第１の態様において、媒体Ｐがロール状媒体Ｐであり、吐出部６における前記液体の吐出領域Ｒに媒体Ｐを送出可能なロール状媒体Ｐのセット部２を備え、セット部２は、前記回転体を兼ねることを特徴とする。
【００４４】
本態様によれば、セット部２は前記回転体を兼ねる。このため、ロール状の媒体Ｐを使用可能な液体吐出装置１において、セット部２とは別に回転体を設けることなく、該液体吐出装置１において液体吐出物の確認をすることができる。
【００４５】
本発明の第３の態様の液体吐出装置１は、前記第２の態様において、セット２部は、第１の回転方向Ｃ１及び該第１の回転方向Ｃ１とは反対側の回転方向である第２の回転方向Ｃ２に回転可能であることを特徴とする。
【００４６】
本態様によれば、セット部２は第１の回転方向Ｃ１及び第２の回転方向Ｃ２に回転可能である。このため、媒体Ｐを反転させることなく液体が吐出された側が外側になるように又は内側になるように巻き取りながら液体吐出物を確認することが可能になり、ユーザーの負荷を抑制することができる。
【００４７】
本発明の第４の態様の液体吐出装置１は、前記第２又は第３の態様において、セット部２は、媒体Ｐの送出位置２８と媒体Ｐの巻き直し位置２９とを移動可能であることを特徴とする。
【００４８】
本態様によれば、セット部２は媒体Ｐの送出位置２８と媒体Ｐの巻き直し位置２９とを移動可能である。このため、セット部２を移動することにより、巻取部４に対して巻き直しのし易い位置で液体吐出物の巻き直し及び確認を行うことができるとともに、セット部２から媒体Ｐを送出する際に適正な位置から媒体Ｐを送出することができる。
【００４９】
本発明の第５の態様の液体吐出装置１は、前記第４の態様において、媒体Ｐがロール状媒体Ｐであり、吐出部６における前記液体の吐出領域Ｒに媒体Ｐを送出可能なロール状媒体Ｐのセット部２を備え、セット部２は、回転体９とは別に設けられることを特徴とする。
【００５０】
本態様によれば、セット部２は回転体９とは別に設けられる。このため、該セット部２及び該回転体９を各々簡単な機構にすることができる。
【００５１】
本発明の第６の態様の液体吐出装置１は、前記第１から第５のいずれか１つの態様において、巻取部４及び回転体２（９）は、吐出部６よりも液体吐出装置１の設置部２７側に設けられることを特徴とする。
【００５２】
ここで、「設置部」とは、液体吐出装置１が設置される際に、設置される場所の床と接触する部材を意味する。  
本態様によれば、巻取部４及び回転体２（９）は、吐出部６よりも液体吐出装置１の設置部２７側に設けられる。すなわち、設置部２７が下側になる一般的な構成の液体吐出装置１において、巻取部４及び回転体２（９）が吐出部６よりも下側に設けられることとなり、媒体Ｐを持ち上げる長さを短くすることができ、巻取部４から回転体２（９）への媒体Ｐの取り付け及び回転体２（９）からの媒体Ｐの取り外しが容易になる。
【００５３】
本発明の第７の態様の液体吐出方法は、搬送方向Ａに搬送される媒体Ｐに、吐出部６から液体を吐出する吐出工程と、吐出部６から前記液体が吐出された媒体Ｐを巻取部４で巻き取る巻取工程と、巻取部４で巻き取られた媒体Ｐを、吐出部６及び巻取部４を備える液体吐出装置１に設けられた回転体２（９）により巻き直す巻き直し工程と、を有することを特徴とする。
【００５４】
本態様によれば、吐出部６、巻取部４及び回転体２（９）を備える液体吐出装置１において、媒体Ｐを該回転体２（９）により巻き直す。このため、該液体吐出装置１において液体吐出物の確認をすることができる。すなわち、液体吐出物を確認する際におけるユーザーの負荷を抑制することができる。
【符号の説明】
【００５５】
１  記録装置（液体吐出装置）、２  セット部（回転体）、３  プラテン、
４  巻取部、５  キャリッジ、６  記録ヘッド（吐出部）、７  脚部、
８  干渉抑制部、９  回転体、１０  制御部、１１  ＣＰＵ、
１２  システムバス、１３  ＲＯＭ、１４  ＲＡＭ、１５  ヘッド駆動部、
１６  被記録媒体Ｐの第１の面、１７  被記録媒体Ｐの台２の面、
１８  モーター駆動部、１９  キャリッジモーター、２０  送出モーター、
２１  搬送モーター、２２  巻取モーター、２３  入出力部、２４  ＰＣ、
２７  設置部、２８  送出位置、２９  巻き直し位置、Ｐ  被記録媒体（媒体）、
Ｒ  吐出領域
【図１】
2016034733.tif 000003
【図２】
2016034733.tif 000004
【図３】
2016034733.tif 000005
【図４】
2016034733.tif 000006
【図５】
2016034733.tif 000007
【図６】
2016034733.tif 000008
【図７】
2016034733.tif 000009